(57)【要約】【課題】外部の空気の流入を抑制し、冷却エネルギーを有効活用できる冷凍冷蔵庫を提供すること。【解決手段】前面に商品取出口が開口し、後面に商品補充口が開口した冷凍冷蔵庫本体と、冷凍冷蔵庫本体の内部に設置され、前面が商品取出口に臨むとともに後面が商品補充口に臨み、後方領域において補充された商品を前方領域において取り出し可能とする棚板を上下方向に複数段備えた棚装置とを備えた冷凍冷蔵庫において、冷凍冷蔵庫本体２の内部後方域に棚板３１の後端との間に流路を確保する態様で棚板３１ごとに設けられ、開放した場合に対応する棚板３１に商品の補充が可能となる扉体６を備えたので、扉体６が開放されても大きく開口することがない。これにより、外部の空気の流入が抑制され、冷却エネルギーを有効活用できる。【選択図】図１
2012117799.tif 000002
【特許請求の範囲】
【請求項１】
前面に商品取出口が開口し、後面に商品補充口が開口した冷凍冷蔵庫本体と、
前記冷凍冷蔵庫本体の内部に設置され、前面が前記商品取出口に臨むとともに後面が前記商品補充口に臨み、後方領域において補充された商品を前方領域において取り出し可能とする棚板を上下方向に複数段備えた棚装置と、
前記棚装置の前方上方域に設けた吹出口から下方に向けて空気を吹き出す吹出装置と、
前記吹出口に対向して設けた吸込口から前記冷凍冷蔵庫本体の内部に空気を吸い込む吸込装置と
を備えた冷凍冷蔵庫において、
前記冷凍冷蔵庫本体の内部後方域に棚板の後端との間に流路を確保する態様で棚板ごとに設けられ、開放した場合に対応する棚板に商品の補充が可能となる扉体を備えたことを特徴とする冷凍冷蔵庫。
【請求項２】
前記冷凍冷蔵庫本体の内部に設けられ、奥方から前方に向けて延在する通気ダクトと、
前記通気ダクトの内部に設置され、前記冷凍冷蔵庫本体の内部から前記通気ダクトの内部に空気を取り込む送風装置と、
前記通気ダクトの下面に設けられ、通気ダクトの下方に設けられた収納領域の後端を閉鎖する第２の扉体と
を備えたことを特徴とする請求項１に記載の冷凍冷蔵庫。
【請求項３】
前記冷凍冷蔵庫本体の内部天井に設けられ、奥方から前方に向けて延在する通気ダクトと、
前記通気ダクトの内部に設置され、前記冷凍冷蔵庫本体の内部から前記通気ダクトの内部に空気を取り込む送風装置と、
棚板に対して着脱可能に設けられ、装着された場合に棚板の上面に設けられた収納領域の後端を閉鎖することにより、当該収納領域をほかの収納領域よりも温度の高い第１の低温領域とする第２の扉体と
を備えたことを特徴とする請求項１に記載の冷凍冷蔵庫。
【請求項４】
前記棚装置は、棚板の上面に設けられた収納領域の後方域から前方域への空気の流通量を規制する規制手段を前記棚板ごとに備えたことを特徴とする請求項１〜３のいずれか一つに記載の冷凍冷蔵庫。
【請求項５】
前記規制部材は、前記後方域と前記前方域とを遮断するカーテン部材であって、空気の流通量は、前記カーテン部材に設けた通気口の開口面積によって規制することを特徴とする請求項４に記載の冷凍冷蔵庫。
【請求項６】
棚板ごとに設けられ、前記後方域から前記前方域に吹き出す空気を案内するダクトを備えたことを特徴とする請求項５に記載の冷凍冷蔵庫。
【請求項７】
棚板の前方に間隔を開けてフェンスを備えたことを特徴とする請求項６に記載の冷凍冷蔵庫。
【請求項８】
前記商品補充口は、棚板ごとに設けられ、その下縁部に前記流路を流れる空気の抵抗となる風向板を設けたことを特徴とする請求項１〜７のいずれか一つに記載の冷凍冷蔵庫。
【請求項９】
前記扉体は、前記商品補充口の上縁部に開閉可能に支承され、
前記扉体が前記商品補充口を閉塞する際に押し退けられ、前記扉体が閉塞した場合に前記扉体と前記風向板との間を遮蔽する遮蔽部材を前記風向板の上面に設けたことを特徴とする請求項８に記載の冷凍冷蔵庫。
【請求項１０】
前記扉体は、
前記商品補充口の上縁部に設けられた軸に開閉可能に支承された左右一対をなす開閉扉体と、
前記軸に支承され、前記冷凍冷蔵庫本体の庫内側において、一方の開閉扉体の側縁部と他方の開閉扉体の側縁部に跨って設けられた閉鎖扉体と
を有することを特徴とする請求項１に記載の冷凍冷蔵庫。
【請求項１１】
前記扉体は、前記商品補充口の上縁部に設けられた軸に開閉可能に支承され、
前記商品補充口の上縁部と前記扉体の上縁部とに跨って設けられたカバー部材を備えたことを特徴とする請求項１〜１０のいずれか一つに記載の冷凍冷蔵庫。
【請求項１２】
前記商品補充口は、棚板ごとに設けられ、前記扉体の庫外側に前記商品補充口を遮蔽するカーテン部材を備えたことを特徴とする請求項１〜１１のいずれか一つに記載の冷凍冷蔵庫。
【発明の詳細な説明】
【技術分野】
【０００１】
本発明は、所望の温度域で保冷した冷凍商品、冷蔵商品のピッキングに好適な冷凍冷蔵庫に関する。
【背景技術】
【０００２】
所望の温度域で保冷した冷凍商品、冷蔵商品のピッキングに好適な冷凍冷蔵庫は、断熱材によって箱型に形成され、作業領域との境界となる前面に商品取出口が開口している。また、冷凍冷蔵庫の内部には、商品取出口に臨むように棚装置が設置してある。棚装置には、上下方向に複数段の棚板が架設してある。棚板は、その上面が後方から前方に向けて漸次低くなるように傾斜する態様で架設してあり、棚装置の後方から補充された商品は、棚板の上面を移動することにより、前方に送られ、前方から後方に向けて順次集積される。そして、棚装置に集積された商品は商品取出口を介して冷凍冷蔵庫の前方から取り出し可能となる。また、冷凍冷蔵庫の内部には、棚装置のほか、商品搬入装置、商品移載装置、冷凍装置が設置してある。商品搬入装置は、倉庫から冷凍冷蔵庫の内部に延在しており、商品は冷凍冷蔵庫の内部に搬入される。商品移載装置は、商品搬入装置と上述した棚装置との間に設けられ、冷凍冷蔵庫の内部に搬送された商品は上述した棚装置に移載される（たとえば、特許文献１参照）。
【０００３】
また、断熱材によって箱型に形成され、前面に商品取出口が開口し、後面に商品補充口が開口した冷凍冷蔵庫が提案されている。この冷凍冷蔵庫の内部には、前面が商品取出口に臨み後面が商品補充口に臨むように棚装置が設置してあり、商品補充口を介して冷凍冷蔵庫の後方から棚装置に商品が補充され、商品取出口を介して冷凍冷蔵庫の前方から商品が取り出される。棚装置には、上下方向に複数段の棚板が架設してある。棚板は、その上面が後方から前方に向けて漸次低くなるように傾斜する態様で架設してあり、商品補充口から補充された商品は、棚板の上面を移動することにより、前方に送られ、前方から後方に向けて順次集積される。また、冷凍冷蔵庫の後面には、棚列ごとに扉体を備えており、商品を補充する場合には商品を補充する棚板が属する棚列に対応する扉体を開放する（たとえば、特許文献２参照）。
【先行技術文献】
【特許文献】
【０００４】
【特許文献１】特開２００６−９０６１９号公報
【特許文献２】特開平３−３１１０２号公報
【発明の概要】
【発明が解決しようとする課題】
【０００５】
ところで、上述した特許文献１に記載された冷凍冷蔵庫は、棚装置に収納した商品を保冷するだけでなく、冷凍冷蔵庫の内部に設置した商品搬入装置や商品移載装置が占める領域をも保冷することになる。これにより、冷凍装置は大型のものとなり、多大な電力を消費することになる。
【０００６】
一方、上述した特許文献２に記載された冷凍冷蔵庫は、上述した特許文献１に記載された冷凍冷蔵庫のように、商品搬入装置や商品移載装置が占める領域を保冷する必要がない。
【０００７】
しかしながら、扉体は棚列ごとに設けてあるため、扉体が開放されると、大きく開口し、外部の空気が大量に流入することになり、多大な冷却エネルギーが失われることになる。
【０００８】
本発明は、上記に鑑みてなされたものであって、外部の空気の流入を抑制し、冷却エネルギーを有効活用できる冷凍冷蔵庫を提供することを目的とする。
【課題を解決するための手段】
【０００９】
上述した課題を解決し、目的を達成するために、本発明は、前面に商品取出口が開口し、後面に商品補充口が開口した冷凍冷蔵庫本体と、前記冷凍冷蔵庫本体の内部に設置され、前面が前記商品取出口に臨むとともに後面が前記商品補充口に臨み、後方領域において補充された商品を前方領域において取り出し可能とする棚板を上下方向に複数段備えた棚装置と、前記棚装置の前方上方域に設けた吹出口から下方に向けて空気を吹き出す吹出装置と、前記吹出口に対向して設けた吸込口から前記冷凍冷蔵庫本体の内部に空気を吸い込む吸込装置とを備えた冷凍冷蔵庫において、前記冷凍冷蔵庫本体の内部後方域に棚板の後端との間に流路を確保する態様で棚板ごとに設けられ、開放した場合に対応する棚板に商品の補充が可能となる扉体を備えたことを特徴とする。
【００１０】
また、本発明は、上記発明において、前記冷凍冷蔵庫本体の内部に設けられ、奥方から前方に向けて延在する通気ダクトと、前記通気ダクトの内部に設置され、前記冷凍冷蔵庫本体の内部から前記通気ダクトの内部に空気を取り込む送風装置と、前記通気ダクトの下面に設けられ、通気ダクトの下方に設けられた収納領域の後端を閉鎖する第２の扉体とを備えたことを特徴とする。
【００１１】
また、本発明は、上記発明において、前記冷凍冷蔵庫本体の内部天井に設けられ、奥方から前方に向けて延在する通気ダクトと、前記通気ダクトの内部に設置され、前記冷凍冷蔵庫本体の内部から前記通気ダクトの内部に空気を取り込む送風装置と、棚板に対して着脱可能に設けられ、装着された場合に棚板の上面に設けられた収納領域の後端を閉鎖することにより、当該収納領域をほかの収納領域よりも温度の高い第１の低温領域とする第２の扉体とを備えたことを特徴とする。
【００１２】
また、本発明は、上記発明において、前記棚装置は、棚板の上面に設けられた収納領域の後方域から前方域への空気の流通量を規制する規制手段を前記棚板ごとに備えたことを特徴とする。
【００１３】
また、本発明は、上記発明において、前記規制部材は、前記後方域と前記前方域とを遮断するカーテン部材であって、空気の流通量は、前記カーテン部材に設けた通気口の開口面積によって規制することを特徴とする。
【００１４】
また、本発明は、上記発明において、棚板ごとに設けられ、前記後方域から前記前方域に吹き出す空気を案内するダクトを備えたことを特徴とする。
【００１５】
また、本発明は、上記発明において、棚板の前方に間隔を開けてフェンスを備えたことを特徴とする。
【００１６】
また、本発明は、上記発明において、前記商品補充口は、棚板ごとに設けられ、その下縁部に前記流路を流れる空気の抵抗となる風向板を設けたことを特徴とする。
【００１７】
また、本発明は、上記発明において、前記扉体は、前記商品補充口の上縁部に開閉可能に支承され、前記扉体が前記商品補充口を閉塞する際に押し退けられ、前記扉体が閉塞した場合に前記扉体と前記風向板との間を遮蔽する遮蔽部材を前記風向板の上面に設けたことを特徴とする。
【００１８】
また、本発明は、上記発明において、前記扉体は、前記商品補充口の上縁部に設けられた軸に開閉可能に支承された左右一対をなす開閉扉体と、前記軸に支承され、前記冷凍冷蔵庫本体の庫内側において、一方の開閉扉体の側縁部と他方の開閉扉体の側縁部に跨って設けられた閉鎖扉体とを有することを特徴とする。
【００１９】
また、本発明は、上記発明において、前記扉体は、前記商品補充口の上縁部に設けられた軸に開閉可能に支承され、前記商品補充口の上縁部と前記扉体の上縁部とに跨って設けられたカバー部材を備えたことを特徴とする。
【００２０】
また、本発明は、上記発明において、前記商品補充口は、棚板ごとに設けられ、前記扉体の庫外側に前記商品補充口を遮蔽するカーテン部材を備えたことを特徴とする。
【発明の効果】
【００２１】
本発明にかかる冷凍冷蔵庫は、冷凍冷蔵庫本体の内部後方域に棚板の後端との間に流路を確保する態様で棚板ごとに設けられ、開放した場合に対応する棚板に商品の補充が可能となる扉体を備えたので、扉体が開放されても大きく開口することがない。これにより、外部の空気の流入が抑制され、冷却エネルギーを有効活用できる。
【図面の簡単な説明】
【００２２】
【図１】図１は、本発明の実施の形態１である冷凍冷蔵庫の要部を示す縦断面図である。
【図２】図２は、棚板ごとに設けた扉体を示す図であって、棚板ごとに一つの扉体を設けた例を示す図である。
【図３】図３は、棚板ごとに設けた扉体を示す図であって、棚板ごとに上下対となる扉体を設けた例を示す図である。
【図４】図４は、棚板ごとに設けた扉体を示す図であって、棚板ごとに左右対となる扉体を設けた例を示す図である。
【図５】図５は、棚板ごとに設けた扉体を示す図であって、棚板ごとに左右対となる扉体を設けた例を示す図である。
【図６】図６は、本発明の実施の形態２である冷凍冷蔵庫の要部を示す縦断面図である。
【図７】図７は、棚板ごとに設けた扉体と、棚板の上面に設けられた収納領域を閉鎖する扉体を示す図である。
【図８】図８は、棚板ごとに設けた扉体と、棚板の上面に設けられた収納領域を閉鎖する扉体を示す図である。
【図９】図９は、本発明の実施の形態３である冷凍冷蔵庫の要部を示す縦断面図である。
【図１０】図１０は、本発明の実施の形態４である冷凍冷蔵庫の要部を示す縦断面図である。
【図１１】図１１は、本発明の実施の形態５である冷凍冷蔵庫の要部を示す縦断面図である。
【図１２】図１２は、本発明の実施の形態６である冷凍冷蔵庫の要部を示す縦断面図である。
【図１３】図１３は、図１２に示したスリットカーテンを示す正面図である。
【図１４】図１４は、本発明の実施の形態７である冷凍冷蔵庫の要部を示す縦断面図である。
【図１５】図１５は、図１４に示したダクトとスリットカーテンを示す正面図である。
【図１６】図１６は、図１４に示したダクトとスリットカーテンを示す縦断面図である。
【図１７】図１７は、本発明の実施の形態８である冷凍冷蔵庫の要部を示す縦断面図である。
【図１８】図１８は、図１７に示したダクトとスリットカーテンを示す正面図である。
【図１９】図１９は、図１７に示したダクトとスリットカーテンとを示す縦断面図である。
【図２０】図２０は、本発明の実施の形態９である冷凍冷蔵庫の要部を示す縦断面図である。
【図２１】図２１は、図２０に示したダクトとスリットとを示す縦断面図である。
【図２２】図２２は、本発明の実施の形態１０である冷凍冷蔵庫に設けられた商品補充口と商品補充口を閉塞する扉体の構成例１を示す側断面図である。
【図２３】図２３は、本発明の実施の形態１０である冷凍冷蔵庫に設けられた商品補充口と商品補充口を閉塞する扉体の構成例２を示す側断面図である。
【図２４】図２４は、本発明の実施の形態１０である冷凍冷蔵庫に設けられた商品補充口と商品補充口を閉塞する扉体の構成例３を示す斜視図である。
【図２５】図２５は、本発明の実施の形態１０である冷凍冷蔵庫に設けられた商品補充口と商品補充口を閉塞する扉体の構成例４を示す側断面図である。
【図２６−１】図２６−１は、本発明の実施の形態１０である冷凍冷蔵庫に設けられた商品補充口と商品補充口を閉塞する扉体の構成例５を示す正面図である。
【図２６−２】図２６−２は、本発明の実施の形態１０である冷凍冷蔵庫に設けられた商品補充口と商品補充口を閉塞する扉体の構成例５を示す側断面図である。
【発明を実施するための形態】
【００２３】
以下に、本発明にかかる冷凍冷蔵庫の実施の形態を詳細に説明する。本発明の実施の形態である冷凍冷蔵庫は、所望の温度域で保冷した冷凍商品、冷蔵商品のピッキングに好適な冷凍冷蔵庫であって、物流拠点や配送拠点に建設された倉庫の内部に設置される。
【００２４】
（実施の形態１）
図１は、本発明の実施の形態１である冷凍冷蔵庫の要部を示す縦断面図である。図１に示すように、本発明の実施の形態１である冷凍冷蔵庫１は、商品を陳列した状態で収納するものであって、後方から商品が補充され、前方から商品が取り出される。
【００２５】
図１に示すように、冷凍冷蔵庫１は、冷凍冷蔵庫本体２（以下、「本体２」という）を備えている。本体２は、断熱材によって箱形に構成してあり、その後面に商品補充口２１が開口し、その前面に商品取出口２２が開口している。これにより、商品補充口２１から商品が補充され、商品取出口２２から商品が取り出される。
【００２６】
本体２の内部には、複数台の棚装置３が横並びに設置してある。棚装置３は、商品を陳列した状態で収納するピッキング用の棚装置であって、前面が商品取出口２２に臨み、後面が商品補充口２１に臨んでいる。また、棚装置３には、上下方向に複数段（本実施の形態１の棚装置３は４段）の棚板３１が架設してある。棚板３１は、その上面が後方から前方に向けて漸次低くなるように傾斜する態様で架設してあり、後方から投入された商品は、棚板３１の上面を移動することにより、前方に送られ、前方から後方に向けて順次集積される。
【００２７】
一つの棚板３１には、複数種類（本実施の形態１の棚板は６種類）の商品が陳列可能であって、その前縁には、商品種類に対応するように、ＬＥＤ表示パネル３２が配設してある。したがって、本実施の形態１の棚装置３は、一台当たり２４個（６列×４段）のＬＥＤ表示パネル３２が配設してある。
【００２８】
ＬＥＤ表示パネル３２は、棚板３１の後方から投入された商品を受け止め、商品を集積させるとともに、取り出す商品が陳列されている陳列位置を明示するものである。したがって、ＬＥＤ表示パネル３２は、フェンスとして機能するとともに、ピッキング指示パネルとしても機能する。
【００２９】
また、商品取出口２２の前方上方域には、吹出装置４が設けてある。吹出装置４は、吹出口（図示せず）から床面に向けて空気を吹き出すものであり、後述する吸込装置５と協働して、商品取出口２２の前面にエアカーテンＡを生成する。
【００３０】
また、商品取出口２２の前方下方域には、リターングリル５０が設けてある。リターングリル５０には、上述した吹出装置４の吹出口と対向する吸込口（図示せず）が形成してあり、本体２の床面に立設したフロントパネル２３に支持されている。これにより、吹出装置４の吹出口から吹き出された空気は、商品取出口２２の前面を通り、リターングリル５０の吸込口から吸い込まれる。
【００３１】
本体２の内部下方域には、吸込装置５が設けてある。吸込装置５は、リターングリル５０の吸込口から空気を吸い込むためのものであり、上述した吹出装置４と協働して、商品取出口２２の前面にエアカーテンＡを生成する。
【００３２】
吸込装置５は、リターンダクト５１を備えている。リターンダクト５１は、棚装置３の脚部間に配設され、リターングリル５０の下方域から本体２の内部奥方に延在している。リターンダクト５１の内部には、ファン５２が設置してある。ファン５２は、前面が前方斜め上方を向くように傾斜する態様で設置してあり、リターングリル５０の吸込口から吸い込んだ空気を本体２の内部奥方に送出する。
【００３３】
また、リターンダクト５１の内部には、熱交換器（蒸発器）５３が設置してある。熱交換器５３は、リターングリル５０の吸込口からリターンダクト５１に吸い込んだ空気を冷却し、冷却した空気を本体２の内部奥方に供給するためのもので、リターングリル５０の吸込口から吸い込まれた空気は、熱交換器５３の周囲を通過する際に冷却される。
【００３４】
本体２の内部後方域には、棚板３１の後端との間に流路を確保する態様で、棚板３１ごとに扉体６が設けてある。棚板３１ごとに設けた扉体６は、本体２の後面に開口した商品補充口２１を閉塞する。そして、すべての扉体６を閉塞した場合には、棚板３１の後端と扉体６との間に流路が確保され、本体２の内部下方域から上方域に向けて空気が流れる。一方、扉体６を開放した場合には、当該扉体６に対応する棚板３１に商品の補充が可能となる。
【００３５】
図２〜図５は、棚板ごとに設けた扉体の例を示す図である。図２は、棚板３１ごとに一つの扉体６を設けた例であり、扉体６の上端部はヒンジ６１により支承されている。この扉体６は、自重により垂れ下がり、補充する商品により扉体６が押し開かれ、補充が完了すると扉体６は自重により閉じられる。なお、扉体６は、自動操作により開閉するものとしてもよい。
【００３６】
図３は、棚板３１ごとに上下対となる扉体６を設けた例であり、上側となる扉体６の上端部がヒンジ６１により支承され、下側となる扉体６の下端部がヒンジ６２により支承されている。また、上側となる扉体６と下側となる扉体６とは、バネなどの弾性体（図示せず）により閉鎖方向に復元力が作用しており、商品を補充する場合には復元力に抗して扉体６が押し開かれ、補充が完了した場合には復元力により扉体６が閉じられる。なお、扉体６は、自動操作により開閉するものとしてもよい。
【００３７】
図４は、棚板３１ごとに左右対となる扉体６を設けた例であり、左右対となる扉体６を左方あるいは右方に移動することにより左側あるいは右側を開放する。なお、扉体６は、手動操作により開閉するが、自動操作により開閉するものとしてもよい。
【００３８】
図５は、棚板３１ごとに左右対となる扉体６を設けた例であり、扉体６を上方に移動することにより開放され、扉体６を下方に移動することにより閉塞する。なお、扉体６は、手動操作により開閉するが、自動操作により開閉するものとしてもよい。
【００３９】
また、図１に示すように、本体２の内部天井には、庫内温度センサ７が設置してある。庫内温度センサ７は、本体２の内部温度を計測するためのもので、計測した温度に基づいて、ファン５２の回転数（回転速度）を増減制御するとともに、熱交換器５３に供給する冷媒量を増減制御することにより、本体２の内部温度を所望の温度域に制御する。
【００４０】
上述した実施の形態１である冷凍冷蔵庫１の運転を開始すると、吹出装置４、ファン５２が駆動され、熱交換器５３に冷媒が供給される。そして、吹出装置４の吹出口から吹き出された空気は、商品取出口２２の前面を通り、リターングリル５０の吸込口から吸い込まれ、本体２の内部に供給される。そして、熱交換器５３の周囲を通過する際に冷却される。
【００４１】
熱交換器５３の周囲を通過する際に冷却された空気は、棚板３１の後端と扉体６との間に確保された流路を通り、各棚板３１に供給される。各棚板３１に供給された空気は、棚板上に陳列された商品を冷却し、その後、棚板３１の前面から棚装置３の前方域に吹き出され、吹出装置４の吹出口から吹き出された空気とともに商品取出口２２の前面にエアカーテンＡを生成する。これにより、冷凍冷蔵庫１の本体２の内部は冷却され、商品取出口２２の前面はエアカーテンＡで覆われる。
【００４２】
そして、庫内温度センサ７が計測した温度が設定した所望の温度域よりも高い場合には、ファン５２の回転数を増大させるとともに、熱交換器５３に供給する冷媒量を増大させる。これにより、本体２の内部温度が所望の温度域まで低下する。一方、庫内温度センサ７が計測した温度が設定した所望の温度域よりも低い場合には、ファン５２の回転数を減少させるとともに、熱交換器５３に供給する冷媒量を減少させる。これにより、本体２の内部温度が所望の温度域まで上昇する。
【００４３】
また、ピッキング作業が開始され、図示せぬ管理装置が実施の形態１である冷凍冷蔵庫１に取り出す商品を指示すると、冷凍冷蔵庫１は当該商品が陳列している棚のＬＥＤ表示パネル３２を点灯させ、作業者にピッキングする商品を指示する。作業者がＬＥＤ表示パネル３２が点灯した棚板の商品収納領域から商品を取り出すと、ＬＥＤ表示パネル３２が消灯し、管理装置が冷凍冷蔵庫１に取り出す商品を指示するまで、作業者は待機する。
【００４４】
一方、冷凍冷蔵庫１に商品を補充する場合には、商品を投入する棚板３１に対応する扉体６を開放する。そして、開放された商品補充口２１から棚装置３に商品を補充する。その後、開放した扉体６を閉塞し、商品の補充が完了する。
【００４５】
上述した実施の形態１である冷凍冷蔵庫１は、棚板３１の後端との間に空気の流路を確保する態様で、棚板３１ごとに扉体６が設けてあり、棚板３１ごとに設けた扉体６は、本体２の後面に開口した商品補充口２１を閉塞する。そして、すべての扉体６を閉塞した場合には、棚板３１の後端と扉体６との間に流路が確保され、本体２の内部下方域から上方域に向けて空気が流れる。一方、扉体６を開放した場合には、当該扉体６に対応する棚板３１に商品の補充が可能となる。これにより、実施の形態１である冷凍冷蔵庫１は、外部の空気の流入を抑制し、冷却エネルギーを有効活用できる。
【００４６】
（実施の形態２）
図６は、本発明の実施の形態２である冷凍冷蔵庫の要部を示す縦断面図である。なお、上述した実施の形態１である冷凍冷蔵庫と同一の構成については、同一の符号を付して説明を省略する。図６に示すように、本発明の実施の形態２である冷凍冷蔵庫２０１は、本体２の内部天井に通気ダクト２０８を設けるとともに、最上段となる棚板３１の上面に設けられた収納領域の後端を閉鎖する扉体２０９を備えている。
【００４７】
図６に示すように、通気ダクト２０８は、奥方から前方に向けて延在しており、その内部に気流分岐ファン（送風装置）２８１が設置してある。気流分岐ファン２８１は、本体２の内部奥方から通気ダクト２０８に空気を取り込むためのもので、気流分岐ファン２８１の回転数（回転速度）を増減制御することにより、本体２の内部から通気ダクト２０８に取り込まれる空気量が増減する。
【００４８】
通気ダクト２０８の前端は、僅かな隙間２８２を残して閉鎖してあり、通気ダクト２０８に取り込まれた空気は、この隙間２８２から前方斜め下方に吹き出される。そして、吹き出された空気は、吹出装置４の吹出口から吹き出された空気と合流し、床面に向けて流れる。
【００４９】
扉体２０９は、通気ダクト２０８の下面に開閉可能に取り付けられ、扉体２０９を閉じた場合に最上段となる棚板３１の上面に設けられた収納領域の後端を閉鎖する。また、この扉体２０９の上端部は、ヒンジ２９１により支承され、上述した棚板３１ごとに設けられ、商品補充口２１（一部）を閉鎖する扉体６と連動して開閉され、図７に二点鎖線で示すように、補充する商品により商品補充口２１を閉鎖する扉体６を押し開いた場合に、収納領域を閉鎖する扉体２０９が連動して開放される。一方、図７に実線で示すように、棚板３１の上面に商品を補充すると、扉体２０９が収納領域を閉鎖するとともに、扉体６が商品補充口２１（一部）を閉鎖する。
【００５０】
また、扉体２０９は、上下対となる扉体で構成され、図８に二点鎖線で示すように、補充する商品により商品補充口２１を閉鎖する扉体６を押し開いた場合に、収納領域を閉鎖する扉体２０９が連動して開放され、図８に実線で示すように、棚板３１の上面に商品を補充すると、扉体２０９が収納領域を閉鎖するとともに、扉体６が商品補充口（一部）を閉鎖するものとしてもよい。
【００５１】
また、図６に示すように、通気ダクト２０８の下面には、第１の庫内温度センサ２７１が設置してある。第１の庫内温度センサ２７１は、最上段となる棚板３１の上面に設けられた収納領域の温度を計測するためのもので、計測した温度に基づいて気流分岐ファン２８１の回転数（回転速度）を増減制御することにより、収納領域の温度を所望の温度域に制御する。
【００５２】
また、図６に示すように、最上段となる棚板３１の下面には、第２の庫内温度センサ２７２が設置してある。第２の庫内温度センサ２７２は、本体の内部温度（上から二段目となる棚板３１の上面に設けられた収納領域の温度）を計測するためのもので、計測した温度に基づいて、ファン５２の回転数（回転速度）を増減制御するとともに、熱交換器５３に供給する冷媒量を増減制御することにより、本体２の内部温度を所望の温度域に制御する。
【００５３】
上述した実施の形態２である冷凍冷蔵庫２０１の運転を開始すると、吹出装置４、ファン５２、気流分岐ファン２８１が駆動され、熱交換器５３に冷媒が供給される。そして、吹出装置４の吹出口から吹き出された空気は、商品取出口２２の前面を通り、リターングリル５０の吸込口から吸い込まれ、本体２の内部に供給される。そして、熱交換器５３の周囲を通過する際に冷却される。
【００５４】
熱交換器５３の周囲を通過する際に冷却された空気は、棚板３１の後端と扉体６との間に確保された流路を通り、通気ダクト２０８と各棚板３１（図６に示す冷凍冷蔵庫では、上から二段目となる棚板３１、最下段となる棚板３１）に供給される。
【００５５】
通気ダクト２０８に供給された空気は、通気ダクト２０８を通り、上述した隙間２８２から前方斜め下方に吹き出される。そして、吹き出された空気は、吹出装置４の吹出口から吹き出された空気と合流し、床面に向かって流れることになる。そして、床面に向かって流れる途中で最上段となる棚板３１の上面に設けられた収納領域を第１の低温領域とし、最上段となる棚板上に陳列された商品を冷却する。
【００５６】
一方、各棚板３１に供給された空気は、棚板３１の上面に設けられた収納領域（上から二段目となる棚板３１の上面に設けられた収納領域、最下段となる棚板３１の上面に設けられた収納領域）を上述した第１の低温領域よりもさらに温度の低い第２の低温領域とし、棚板上に陳列された商品を冷却する。そして、商品を冷却した空気は、棚板３１の前面から棚装置３の前方域に吹き出され、吹出装置４から吹き出された空気とともに商品取出口２２の前面にエアカーテンＡを生成する。
【００５７】
そして、第２の庫内温度センサ２７２が計測した温度が設定した所望の温度域よりも高い場合には、ファン５２の回転数を増大させるとともに、熱交換器５３に供給する冷媒量を増大させる。これにより、本体２の内部温度が所望の温度域まで低下する。一方、第２の庫内温度センサ２７２が計測した温度が設定した所望の温度域よりも低い場合には、ファン５２の回転数を減少させるとともに、熱交換器５３に供給する冷媒量を減少させる。これにより、本体２の内部温度が所望の温度域まで上昇する。
【００５８】
また、第１の庫内温度センサ２７１が計測した温度が設定した温度域よりも高い場合には、気流分岐ファン２８１の回転数を増大させる。すると、通気ダクト２０８に取り込まれる空気量が増大し、隙間２８２から吹き出される空気量が増大する。これにより、最上段となる棚板３１の上面に設けられた収納領域の温度が所望の温度域まで低下する。一方、第１の庫内温度センサ２７１が計測した温度が設定した温度域よりも低い場合には、気流分岐ファン２８１の回転数を減少させる。すると、通気ダクト２０８に取り込まれる空気量が減少し、隙間２８２から吹き出される空気量が減少する。これにより、最上段となる棚板３１の上面に設けられた収納領域の温度が所望の温度域まで上昇する。
【００５９】
上述した実施の形態２である冷凍冷蔵庫２０１は、本体２の内部天井に通気ダクト２０８を設けるとともに、最上段となる棚板３１の上面に設けられた収納領域を閉鎖する扉体２０９を備えたので、最上段となる棚板３１の上面に設けられた収納領域と、これ以外の収納領域（上から二段目となる棚板３１の上面に設けられた収納領域、最下段となる棚板３１の上面に設けられた収納領域）との温度を異ならしめることができる。
【００６０】
（実施の形態３）
図９は、本発明の実施の形態３である冷凍冷蔵庫の要部を示す縦断面図である。なお、上述した実施の形態１である冷凍冷蔵庫と同一の構成については、同一の符号を付して説明を省略する。図９に示すように、本発明の実施の形態３である冷凍冷蔵庫３０１は、本体２の内部天井と、最上段となる棚板３１の下面とに通気ダクト３０８Ａ，３０８Ｂを設けるとともに、最上段となる棚板３１の上面に設けられた収納領域の後端を閉鎖する扉体３０９Ａと、上から二段目となる棚板３１の上面に設けられた収納領域の後端を閉鎖する扉体３０９Ｂとを備えている。
【００６１】
図９に示すように、通気ダクト３０８Ａ，３０８Ｂは、奥方から前方に向けて延在しており、その内部に気流分岐ファン（送風装置）３８１Ａ，３８１Ｂが設置してある。気流分岐ファン３８１Ａ，３８１Ｂは、本体２の内部奥方から通気ダクト３０８Ａ，３０８Ｂに空気を取り込むためのもので、気流分岐ファン３８１Ａ，３８１Ｂの回転数を増減制御することにより、本体２の内部から通気ダクト３０８Ａ，３０８Ｂに取り込まれる空気量が増減する。
【００６２】
通気ダクト３０８Ａ，３０８Ｂの前端部は、僅かな隙間３８２Ａ，３８２Ｂを残して閉鎖してあり、通気ダクト３０８Ａ，３０８Ｂに取り込まれた空気は、この隙間３８２Ａ，３８２Ｂから前方斜め下方に吹き出される。そして、吹き出された空気は、吹出装置４の吹出口から吹き出された空気と合流し、床面に向かって流れる。
【００６３】
扉体３０９Ａ，３０９Ｂは、通気ダクト３０８Ａ，３０８Ｂの下面に開閉可能に取り付けられ、扉体３０９Ａ，３０９Ｂを閉じた場合に通気ダクト３０８Ａ，３０８Ｂのすぐ下に位置する棚板３１の上面に設けられた収納領域を閉鎖する。
【００６４】
また、図９に示すように、通気ダクトの下面中程には、第１の庫内温度センサ３７１と第２の庫内温度センサ３７２が設置してある。第１の庫内温度センサ３７１と第２の庫内温度センサ３７２は、通気ダクト３０８Ａ，３０８Ｂのすぐ下に位置する棚板３１の上面に設けられた収納領域の温度を計測するためのもので、計測した温度に基づいて気流分岐ファン３８１Ａ，３８１Ｂの回転数（回転速度）を増減制御することにより、収納領域の温度を所望の温度域に制御する。
【００６５】
また、上から二段目となる棚板３１の下面には、第３の庫内温度センサ３７３が設置してある。第３の庫内温度センサ３７３は、本体２の内部温度（上から三段目となる棚板３１の上面に設けられた収納領域）の温度を計測するためのもので、計測した温度に基づいて、ファン５２の回転数（回転速度）を増減制御するとともに、熱交換器５３に供給する冷媒量を増減制御することにより、本体２の内部温度を所望の温度域に制御する。
【００６６】
上述した実施の形態３である冷凍冷蔵庫３０１の運転を開始すると、吹出装置４、ファン５２、気流分岐ファン３８１Ａ，３８１Ｂが駆動され、熱交換器５３に冷媒が供給される。そして、吹出装置４の吹出口から吹き出された空気は、商品取出口２２の前面を通り、リターングリル５０の吸込口から吸い込まれ、本体２の内部に供給される。そして、熱交換器５３の周囲を通過する際に冷却される。
【００６７】
熱交換器５３の周囲を通過する際に冷却された空気は、棚板３１の後端と扉体６との間に確保された流路を通り、通気ダクト３０８Ａ，３０８Ｂと各棚板３１（図９に示す冷凍冷蔵庫では、上から三段目となる棚板３１、最下段となる棚板３１）に供給される。
【００６８】
通気ダクト３０８Ａ，３０８Ｂに供給された空気は、通気ダクト３０８Ａ，３０８Ｂを通り、上述した隙間３８２Ａ，３８２Ｂから前方に吹き出される。そして、吹き出された空気は、吹出装置４から吹き出された空気と合流し、床面に向かって流れることになる。そして、床面に向かって流れる途中で最上段となる棚板３１の上面に設けられた収納領域を第１の低温領域とし、最上段となる棚板上に陳列された商品を冷却する。また、最上段となる棚板３１の下面に設けた通気ダクト３０８Ｂから吹き出された空気は、床面に向かって流れる途中で上から二段目となる棚板３１の上面に設けられた収納領域を上述した第１の低温領域よりも温度の低い第２の低温領域とし、上から二段目となる棚板上に陳列された商品を冷却する。
【００６９】
一方、各棚板３１に供給された空気は、棚板３１の上面に設けられた収納領域（上から三段目となる棚板３１の上面に設けられた収納領域、最下段となる棚板３１の上面に設けられた収納領域）を上述した第２の低温領域よりもさらに温度の低い第３の低温領域とし、棚板上に陳列された商品を冷却する。そして、商品を冷却した空気は、棚板３１の上面から棚装置３の前方域に吹き出され、吹出装置４から吹き出された空気とともに商品取出口２２の前面にエアカーテンＡを生成する。
【００７０】
そして、第３の庫内温度センサ３７３が計測した温度が設定した所望の温度域よりも高い場合には、ファン５２の回転数を増大させるとともに、熱交換器５３に供給する冷媒量を増大させる。これにより、本体２の内部温度が所望の温度域まで低下する。一方、第３の庫内温度センサ３７３が計測した温度が設定した所望の温度域よりも低い場合には、ファン５２の回転数を減少させるとともに、熱交換器５３に供給する冷媒量を減少させる。これにより、本体２の内部温度が所望の温度域まで上昇する。
【００７１】
また、第１の庫内温度センサ３７１が計測した温度が設定した温度域よりも高い場合には、気流分岐ファン３８１Ａの回転数を増大させる。すると、通気ダクト３０８Ａに取り込まれる空気量が増大し、隙間３８２Ａから吹き出される空気量が増大する。これにより、最上段となる棚板３１の上面に設けられた収納領域の温度が所望の温度域まで低下する。一方、第１の庫内温度センサ３７１が計測した温度が設定した温度域よりも低い場合には、気流分岐ファン３８１Ａの回転数を減少させる。すると、通気ダクト３０８Ａに取り込まれる空気量が減少し、隙間３８２Ａから吹き出される空気量が減少する。これにより、最上段となる棚板３１の上面に設けられた収納領域の温度が所望の温度域まで上昇する。
【００７２】
同様に、第２の庫内温度センサ３７２が計測した温度が設定した温度域よりも高い場合には、気流分岐ファン３８１Ｂの回転数を増大させる。すると、通気ダクト３０８Ｂに取り込まれる空気量が増大し、隙間３８２Ｂから吹き出される空気量が増大する。これにより、上から二段目となる棚板３１の上面に設けられた収納領域の温度が所望の温度域まで低下する。一方、第２の庫内温度センサ３７２が計測した温度が設定した温度域よりも低い場合には、気流分岐ファン３８１Ｂの回転数を減少させる。すると、通気ダクト３０８Ｂに取り込まれる空気量が減少し、隙間３８２Ｂから吹き出される空気量が減少する。これにより、上から二段目となる棚板３１の上面に設けられた収納領域の温度が所望の温度域まで上昇する。
【００７３】
上述した実施の形態３である冷凍冷蔵庫３０１は、本体２の内部天井と最上段となる棚板３１の下面とに通気ダクト３０８Ａ，３０８Ｂを設けるとともに、最上段となる棚板３１の上面に設けられた収納領域の後端を閉鎖する扉体３０９Ａと、上から二段目となる棚板３１の上面に設けられた収容領域の後端を閉鎖する扉体３０９Ｂとを備えたので、最上段となる棚板３１の上面に設けられた収納領域と、上から二段目となる棚板３１の上面に設けたれた収納領域と、これら以外の収納領域（上から三段目となる棚板３１の上面に設けられた収納領域、最下段となる棚板３１の上面に設けられた収納領域）との温度を異ならしめることができる。
【００７４】
（実施の形態４）
図１０は、本発明の実施の形態４である冷凍冷蔵庫の要部を示す縦断面図である。なお、上述した実施の形態４である冷凍冷蔵庫と同一の構成については、同一の符号を付して説明を省略する。図１０に示すように、本発明の実施の形態４である冷凍冷蔵庫４０１は、本体２の内部天井に通気ダクト４０８を設けるとともに、任意の棚板３１に対して着脱可能に取り付けられ、対応する棚板３１の上面に設けられた収納領域の後端を閉鎖する扉体４０９を備えている。
【００７５】
図１０に示すように、通気ダクト４０８は、奥方から前方に向けて延在しており、その内部に気流分岐ファン４８１が設置してある。気流分岐ファン４８１は、本体２の内部奥方から通気ダクト４０８に空気を取り込むためのもので、気流分岐ファン４８１の回転数（回転速度）を増減制御することにより、本体２の内部から通気ダクト４０８に取り込まれる空気量が増減する。
【００７６】
通気ダクト４０８の前端は、僅かな隙間４８２を残して閉鎖してあり、通気ダクト４０８に取り込まれた空気は、この隙間４８２から前方斜め下方に吹き出される。そして、吹き出された空気は、吹出装置４の吹出口から吹き出された空気と合流し、床面に向けて流れる。
【００７７】
扉体４０９は、上述したように、任意の棚板３１に対して着脱可能に取り付けられ、取り付けられた扉体４０９に対応する棚板３１の上面に設けられた収納領域の後端を閉鎖する。たとえば、図１０に示す例では、最上段となる棚板３１と上から二段目となる棚板３１に対して取り付け、最上段となる棚板３１の上面に設けられた収納領域の後端と上から二段目となる棚板３１の上面に設けられた収納領域の後端を閉鎖する。
【００７８】
また、最上段となる棚板３１の下面中程には、第１の庫内温度センサ４７１が設置してある。第１の庫内温度センサ４７１は、上から二段目となる棚板３１の上面に設けられた収納領域の温度を計測するためのもので、計測した温度に基づいて気流分岐ファン４８１の回転数（回転速度）を増減制御することにより、収納領域の温度を所望の温度域に制御する。
【００７９】
また、上から二段目となる棚板３１の下面中程には、第２の庫内温度センサ４７２が設置してある。第２の庫内温度センサ４７２は、本体２の内部温度（上から三段目となる棚板３１の上面に設けられた収納領域の温度）を計測するためのもので、計測した温度に基づいてファン５２の回転数（回転速度）を増減制御するとともに、熱交換器５３に供給する冷媒量を増減制御することにより、本体２の内部温度を所望の温度域に制御する。
【００８０】
上述した実施の形態４である冷凍冷蔵庫４０１は、任意の棚板３１に対して扉体４０９を取り付けて運転を開始する。なお、ここでは、最上段となる棚板３１と上から二段目となる棚板３１に対して扉体４０９を取り付けた場合を例に説明する。図１０に示すように、最上段となる棚板３１と上から二段目となる棚板３１に対して扉体４０９を取り付けると、最上段となる棚板３１の上面に設けられた収納領域の後端と上から二段目となる棚板の上面に設けられた収納領域の後端とが閉鎖する。
【００８１】
冷凍冷蔵庫４０１の運転を開始すると、吹出装置４、ファン５２、気流分岐ファン４８１が駆動され、熱交換器５３に冷媒が供給される。そして、吹出装置４の吹出口から吹き出された空気は、商品取出口２２の前面を通り、リターングリル５０の吸込口から吸い込まれ、本体２の内部に供給される。そして、熱交換器５３の周囲を通過する際に冷却される。
【００８２】
熱交換器５３の周囲を通過する際に冷却された空気は、棚板３１の後端と扉体６との間に確保された流路を通り、通気ダクト４０８と各棚板３１（図１０に示す例では、上から三段目となる棚板３１、最下段となる棚板３１）に供給される。
【００８３】
通気ダクト４０８に供給された空気は、通気ダクト４０８を通り、上述した隙間４８２から前方に吹き出される。そして、吹き出された空気は、吹出装置４の吹出口から吹き出された空気と合流し、床面に向かって流れる。そして、床面に向かって流れる途中で最上段となる棚板３１の上面に設けられた収納領域と上から二段目となる棚板３１の上面に設けられた収納領域とを第１の低温領域とし、最上段となる棚板上に陳列された商品と上から二段目となる棚板上に陳列された商品とを冷却する。
【００８４】
一方、各棚板３１に供給された空気は、棚板３１の上面に設けられた収納領域（上から三段目となる棚板３１の上面に設けられた収納領域、最下段となる棚板３１の上面に設けられた収納領域）を上述した第１の低温領域よりも温度の低い第２の低温領域とし、棚板上に陳列された商品を冷却する。そして、商品を冷却した空気は、棚板３１の上面から棚装置３の前方域に吹き出され、吹出装置４から吹き出された空気とともに商品取出口２２の前面にエアカーテンＡを生成する。
【００８５】
そして、第２の庫内温度センサ４７２が計測した温度が設定した所望の温度域よりも高い場合には、ファン５２の回転数を増大させるとともに、熱交換器５３に供給する冷媒量を増大させる。これにより、本体２の内部温度が設定した所望の温度域まで低下する。一方、第２の庫内温度センサ４７２が計測した温度が設定した所望の温度域よりも低い場合には、ファン５２の回転数を減少させるとともに、熱交換器５３に供給する冷媒量を減少させる。これにより、本体２の内部温度が所望の温度域まで上昇する。
【００８６】
また、第１の庫内温度センサ４７１が計測した温度が設定した温度域よりも高い場合には、気流分岐ファン４８１の回転数を増大させる。すると、通気ダクト４０８に取り込まれる空気量が増大し、隙間４８２から吹き出される空気量が増大する。これにより、最上段となる棚板３１の上面に設けられた収納領域および上から二段目となる棚板３１の上面に設けられた収納領域の温度が所望の温度域まで低下する。一方、第１の庫内温度センサ４７１が計測した温度が設定した温度域よりも低い場合には、気流分岐ファン４８１の回転数を減少させる。すると、通気ダクト４０８に取り込まれる空気量が減少し、隙間４８２から吹き出される空気量が減少する。これにより、最上段となる棚板３１の上面に設けられた収納領域の温度が所望の温度域まで上昇する。
【００８７】
上述した実施の形態４である冷凍冷蔵庫４０１は、任意の棚板３１に対して扉体４０９を取り付けることにより、取り付けられた棚板３１の上面に設けられた収納領域を第１の低温領域とするので、第１の低温領域と第２の低温領域の割合（棚割合）を容易に変更できる。
【００８８】
（実施の形態５）
図１１は、本発明の実施の形態５である冷凍冷蔵庫の要部を示す縦断面図である。なお、上述した実施の形態１である冷凍冷蔵庫と同一の構成については、同一の符号を付して説明を省略する。図１１に示すように、本発明の実施の形態である冷凍冷蔵庫５０１は、リターングリル５０の吸込口から吸い込んだ空気の量に相当する量の空気が棚装置３を経由して棚装置３の前面に吹き出すものである。
【００８９】
上述した実施の形態５である冷凍冷蔵庫５０１の運転を開始すると、吹出装置４、ファン５２が駆動され、熱交換器５３に冷媒が供給される。そして、吹出装置４の吹出口から吹き出された空気は、商品取出口２２の前面を通り、リターングリル５０の吸込口から吸い込まれ、本体２の内部に供給される。そして、熱交換器５３の周囲を通過する際に冷却される。
【００９０】
熱交換器５３の周囲を通過する際に冷却された空気は、棚板３１の後端と扉体６との間に確保された流路を通り、各棚板３１に供給される。各棚板３１に供給された空気は、棚板上に陳列された商品を冷却し、その後、棚板３１の前面から棚板３１の前方域に吹き出される。そして、吹き出された空気は、ファン５２の吸引力と密度差（冷却された空気のほうが重い）により、下方に導かれ、吹出装置４の吹出口から吹き出された空気とともに商品取出口２２の前面にエアカーテンＡを生成する。これにより、冷凍冷蔵庫５０１の本体２の内部は冷却され、商品取出口２２の前面はエアカーテンＡで覆われる。
【００９１】
上述した実施の形態５である冷凍冷蔵庫は、リターングリル５０の吸込口から吸い込んだ空気に相当する量の空気が棚装置３を経由して棚装置３の前方域に吹き出される。この空気は、冷却されているので、棚装置３に収納した商品を冷却する。
【００９２】
また、図１１に示すように、上面が開口した箱Ｂに詰められた状態で商品が棚装置３に収納された場合には、冷却された空気が箱Ｂに溜まることになり、リターングリル５０の吸込口から吸い込む空気の量を減らすことができる。
【００９３】
（実施の形態６）
図１２は、本発明の実施の形態６である冷凍冷蔵庫の要部を示す縦断面図である。図１３は、図１２に示したスリットカーテンを示す正面図である。なお、上述した実施の形態１である冷凍冷蔵庫と同一の構成については、同一の符号を付して説明を省略する。
【００９４】
図１２に示すように、本発明の実施の形態６である冷凍冷蔵庫６０１の棚装置６０３は、棚板３１ごとにスリットカーテン６０９が吊り下げてある。スリットカーテン６０９は、棚板３１の上面に設けられた収納領域の前方域と後方域とを遮断するものであり、可撓性の素材で作成してある。スリットカーテン６０９は、空気の流通を遮断する一方、商品の通過を許容する。図１３に示すように、スリットカーテン６０９には、上下方向に延びる細長の切り込み（スリット）６９１が設けてあり、商品が通過する際に商品によって押し退けられやすくなっている。
【００９５】
また、スリットカーテン６０９は、棚板３１の下面に沿って空気が流れるように、上部領域に空気が通る通気口６９２が設けてある。通気口６９２の開口面積は、棚装置６０３の上段から下段に向けて段階的に小さくなるように設定してある。これは、上段の棚板３１ほど冷却された空気の供給が少なくなることに鑑みたものであって、下段のスリットカーテン６０９の通気口６９２の開口面積を上段のスリットカーテン６０９の通気口６９２の開口面積よりも小さくすることにより、上段の棚板３１に供給する空気を増大させている。
【００９６】
上述した実施の形態６である冷凍冷蔵庫６０１の棚装置６０３は、棚板３１ごとに吊り下げたスリットカーテン６０９が収納領域の後方域から前方域への空気の流通を遮断する。一方、スリットカーテン６０９に設けた通気口６９２が収納領域の後方域から前方域への空気の通過を許容する。
【００９７】
上述した実施の形態６である冷凍冷蔵庫６０１は、スリットカーテン６０９に設けた通気口６９２の開口面積を棚装置６０３の上段から下段に向けて段階的に小さくなるように設定してあるので、棚装置６０３の上段における温度と下段における温度との差を小さくできる。
【００９８】
（実施の形態７）
図１４は、本発明の実施の形態７である冷凍冷蔵庫の要部を示す縦断面図である。図１５は、図１４に示したダクトとスリットカーテンを示す正面図であり、図１６は、図１４に示したダクトとスリットカーテンを示す縦断面図である。なお、上述した実施の形態１である冷凍冷蔵庫と同一の構成については、同一の符号を付して説明を省略する。
【００９９】
図１４に示すように、本発明の実施の形態７である冷凍冷蔵庫７０１の棚装置７０３には、棚板３１ごとにダクト７０８が配設してある。ダクト７０８は、棚板３１の上面に設けられた収納領域から棚装置７０３の前面に吹き出す空気を案内するためのもので、本体２の内部天井および上棚となる棚板３１の下面に取り付けてある。ダクト７０８は、棚板３１の前後方向中程から前端まで延在している。
【０１００】
図１５に示すように、ダクト７０８は、偏平な角筒形状を有しており、図１６に示すように、後端および前端が開口している。ダクト７０８の前端部７８１は、下方に向かって傾いており、前端開口７８１ａは、斜め下方を向いている。また、ダクト７０８の開口面積は、上段から下段に向けて段階的に小さくなるように設定してある。これは、上段となる棚板３１の上面に設けられた収納領域ほど冷却された空気の供給が少なくなることに鑑みたものであって、下段の棚板３１に設けたダクト７０８の開口面積を上段の棚板３１に設けたダクト７０８の開口面積よりも小さくすることにより、上段となる棚板３１の上面に設けられた収納領域に供給する空気を増大させている。
【０１０１】
図１６に示すように、ダクト７０８の後端には、スリットカーテン７０９が吊り下げてある。図１４に示すように、スリットカーテン７０９は、棚板３１の上面に設けられた収納領域の前方域と後方域とを遮断するものであり、可撓性の素材で作成してある。スリットカーテン７０９は、空気の流通を遮断する一方、商品の通過を許容する。スリットカーテン７０９は、上下方向に延びる細長の切り込み（スリット）７９１が設けてあり、商品が通過する際に商品によって押し退けられる。
【０１０２】
上述した実施の形態７である冷凍冷蔵庫７０１の棚装置７０３は、棚板３１ごとに配設したダクト７０８が棚板上に設けられた収納領域から棚装置７０３の前面に冷却された空気を案内する一方、棚板３１ごとに吊り下げたスリットカーテン７０９が棚板３１の上面に設けられた収納領域の後方域から前方域への空気の流通を遮断する。
【０１０３】
上述した実施の形態７である冷凍冷蔵庫７０１は、棚装置７０３の棚板３１ごとにダクト７０８を配設したので、棚板３１の上面に設けられた収納領域から棚板３１の前面への空気の吹き出しが促進される。また、棚板３１ごとにスリットカーテン７０９を吊り下げることにより、収納領域の後方域と前方域との間における空気の流通を遮断する。
【０１０４】
また、ダクト７０８の前端開口７８１ａが前方斜め下方を向いているので、ダクト７０８に案内された空気は前方斜め下方に吹き出し、吹出装置４の吹出口から吹き出された空気との干渉が抑制される。
【０１０５】
（実施の形態８）
図１７は、本発明の実施の形態８である冷凍冷蔵庫の要部を示す縦断面図である。図１８は、図１７に示したダクトとスリットカーテンを示す正面図であり、図１９は、図１７に示したダクトとスリットカーテンとを示す縦断面図である。上述した実施の形態１である冷凍冷蔵庫と同一の構成については、同一の符号を付して説明を省略する。
【０１０６】
図１７に示すように、本発明の実施の形態８である冷凍冷蔵庫８０１の棚装置８０３には、棚板３１ごとにダクト８０８が配設してある。ダクト８０８は、棚板３１の上面に設けられた収納領域から棚装置８０３の前面に吹き出す空気を案内するためのもので、本体２の内部天井および上棚となる棚板３１の下面に取り付けてある。ダクト８０８は、棚板３１の前後方向中程から前端まで延在している。
【０１０７】
図１８に示すように、ダクト８０８は、偏平な角筒形状を有しており、図１９に示すように、後端および前端が開口している。ダクト８０８の前端部８８１は、下方に向かって傾いており、前端開口８８１ａは、前方斜め下方を向いている。
【０１０８】
また、図１９に示すように、ダクト８０８の後端部には、送風装置８８２が配設してある。送風装置８８２は、棚板３１の上面に設けられた収納領域からダクト８０８の内部に空気を導入し、導入した空気を前端開口８８１ａから吹き出させるものであり、風量調節が可能である。
【０１０９】
図１９に示すように、ダクト８０８の後端には、スリットカーテン８０９が吊り下げてある。図１７に示すように、スリットカーテン８０９は、棚板３１の上面に設けられた収納領域の前方域と後方域とを遮断するものであり、可撓性の素材で作成してある。スリットカーテン８０９は、空気の流通を遮断する一方、商品の通過を許容する。スリットカーテン８０９には、上下方向に延びる細長の切り込み（スリット）８９１が設けてあり、商品が通過する際に商品によって押し退けられる。
【０１１０】
上述した実施の形態８である冷凍冷蔵庫８０１の棚装置８０３は、棚板３１の上面に設けられた収納領域ごとに送風装置８８２を備えたダクト８０８を配設したので、収納領域ごとに風量調節が可能となり、棚装置８０３における温度差を小さくできる。
【０１１１】
（実施の形態９）
図２０は、本発明の実施の形態９である冷凍冷蔵庫の要部を示す縦断面図である。図２１は、図２０に示したダクトとスリットを示す縦断面図である。なお、実施の形態１である冷凍冷蔵庫と同一の構成については、同一の符号を付して説明を省略する。
【０１１２】
図２０に示すように、本発明の実施の形態９である冷凍冷蔵庫９０１の棚装置９０３には、棚板３１ごとにダクト９０８が配設してある。ダクト９０８は、棚板３１の上面に設けられた収納領域から棚装置９０３の前面に吹き出す空気を案内するためのもので、本体２の内部天井および上棚となる棚板３１の下面に取り付けてある。ダクト９０８は、棚板３１の前後方向中程から前端まで延在している。
【０１１３】
ダクト９０８は、偏平は角筒形状を有しており、図２１に示すように、後端および前端が開口している。ダクト９０８の前端部９８１は、下方に向かって傾いており、前端開口９８１ａは、前方斜め下方を向いている。
【０１１４】
また、図２１に示すように、ダクト９０８の後端部には、送風装置９８２が配設してある。送風装置９８２は、棚板３１の上面に設けられた収納領域からダクト９０８の内部に空気を導入し、導入した空気を前端開口から吹き出させるものであり、風量調節が可能である。
【０１１５】
また、図２１に示すように、棚板３１の前方には、間隔を開けてフェンス９８３が配設してある。フェンス９８３は、ダクト９０８から吹き出された空気が吹出装置４の吹出口から吹き出された空気と干渉する事態を回避するためのもので、ダクト９０８から吹き出された空気は、フェンス９８３の内側を通って下方に流れることになる。なお、フェンスは、たとえば、棚板３１からのガイド（図示せず）により取り付けてある。
【０１１６】
図２１に示すように、ダクト９０８の後端には、スリットカーテン９０９が吊り下げて有る。図２０に示すように、スリットカーテン９０９は、棚板３１の上面に設けられた収納領域の前方域と後方域とを遮断するものであり、可撓性の素材で作成してある。スリットカーテン９０９は、空気の流通を遮断する一方、商品の通過を許容するものである。スリットカーテン９０９には、上下方向に延びる細長の切り込み（スリット）が設けてあり、商品が通過する際に商品によって押し退けられる。
【０１１７】
上述した実施の形態９である冷凍冷蔵庫９０１は、ダクト９０８から吹き出された空気がフェンス９８３の内側を通って下方に流れるので、吹出装置４の吹出口から吹き出した空気と干渉することがない。
【０１１８】
（実施の形態１０）
図２２〜図２６は、本発明の実施の形態１０である冷凍冷蔵庫に設けられた商品補充口と商品補充口を閉塞する扉体の構成例１〜５を示す図である。なお、上述した実施の形態１である冷凍冷蔵庫と同一の構成については、説明を省略する。
【０１１９】
図２２は、商品補充口と商品補充口を閉塞する扉体の構成例１を示す側断面図である。図２２に示すように、本発明の実施の形態１０である冷凍冷蔵庫は、本体２の後面との間に流路を確保する態様で棚装置３が設置してある。また、棚装置３は、上下方向に複数段の棚板３１が架設してあり、本体２の後面には、棚板３１ごとに商品補充口２１１が設けてある。商品補充口２１１は、矩形形状を有しており、その上縁部には、扉体６が開閉可能に支承してある。扉体６は、自重により垂れ下がり、補充する商品より扉体６が押し開かれ、補充が完了すると扉体６は自重により閉じられる。
【０１２０】
また、商品補充口２１１の下縁部には、本体２の後面と棚装置３との間に確保された流路に流れる空気の抵抗となる風向板２１２が設けてある。風向板２１２は、流路を流れる冷却された空気が本体後面に対して略直角に案内されるように、基部から開放端部に向けてやや庫内下側に傾けて設けてある。そして、流路を流れる冷却された空気（気流ａ）は、風向板２１２に案内され、扉体６の庫内側表面を避けて流れることになる。一方、扉体６の庫内側表面の空気は、気流ａに引っ張られ、小さな渦流（気流ｂ）を生じさせる。ところで、気流ｂは、気流ａにより生じるため、気流ａよりも流速が遅く、気流ａよりも温かい。したがって、風向板２１２を設けると、気流ａよりも流速が遅く、気流ａよりも温かい渦流（気流ｂ）が扉体６の庫内側表面を流れるため、気流ａが扉体６の庫内側表面を流れる場合よりもエネルギーロスが抑制され、省エネ効果を得ることができる。また、風向板２１２は、基部から開放端部に向けてやや庫内下側に傾けてあるので、その上面は、扉体６の当接面（戸当たり面）となり、密閉性が向上する。
【０１２１】
図２３は、商品補充口と商品補充口を閉塞する扉体の構成例２を示す側断面図である。構成例２は、上述した構成例１に示した風向板２１２の上面にさらに遮蔽部材（ゴムパッキン）２１３を設けたものである。
【０１２２】
遮蔽部材２１３は、風向板２１２の上面から上方に突出するように設けられた爪状の可撓性部材（たとえば、ゴム）である。遮蔽部材２１３は、扉体６が商品補充口２１１を閉塞する際に押し退けられて倒伏し、扉体６の通過を可能にする一方、扉体６が商品補充口２１１を閉塞した場合に元の位置に復帰して、扉体６と風向板２１２との間を遮蔽する。
【０１２３】
これにより、扉体６を閉塞した場合に流路を流れる空気が本体２の外部に漏れる場合には、遮蔽部材２１３を乗り越えて、扉体と風向板との間を通り抜けることになり（気流ｃ）、流路を流れる空気が外部に漏れる事態を抑制できる。このため、エネルギーロスが抑制され、省エネ効果を得ることができる。なお、遮蔽部材２１３は、可撓性部材であるため、扉体６の開閉や商品の補充を妨げることはない。
【０１２４】
図２４は、商品補充口を閉塞する扉体の構成例３を示す側断面図である。図２４に示すように、構成例３において、扉体６は、商品補充口の上縁部に設けられたヒンジ軸６１１に開閉可能に支承された左右一対をなす開閉扉体６４と、ヒンジ軸６１１に支承され、本体２の庫内側において、一方の開閉扉体６４の側縁部と他方の開閉扉体６４の側縁部に跨る閉鎖扉体６５と有している。
【０１２５】
開閉扉体６４と閉鎖扉体６５とは、自重により垂れ下がり、補充する商品により一方の開閉扉体６４が開放すると、当該一方の開閉扉体６４に押されて閉鎖扉体６５も開放することになる。そして、一方の開閉扉体６４と他方の開閉扉体６４の両方が閉塞すると、閉鎖扉体６５も閉塞し、一方の開閉扉体６４と他方の開閉扉体６４との間に生じる隙間を塞ぐことになる。
【０１２６】
このように、一方の開閉扉体６４と他方の開閉扉体６４の両方が閉塞すると、閉鎖扉体６５が一方の開閉扉体６４と他方の開閉扉体６４との間に生じる隙間を塞ぐので、本体２の庫内側と庫外側とにおける空気の移動が抑制される。これにより、エネルギーロスが抑制されて、省エネ効果を得ることができる。なお、閉鎖扉体６５は、開閉扉体６４が開放する場合に、開閉扉体６４に押されて開閉扉体６４とともに開放することになるので、商品の補充を妨げることはない。また、開閉扉体６４をどのようなタイミングで開閉しても一方の開閉扉体６４と他方の開閉扉体６４との間に閉鎖扉体６５が挟まることはない。
【０１２７】
図２５は、商品補充口と商品補充口を閉塞する扉体の構成例４を示す側断面図である。構成例４は、上述した構成例２において、商品補充口２１１の上縁部と扉体６の上縁部とに跨って設けられたカバー部材２１４を備えている。カバー部材２１４は、商品補充口２１１の上縁部と扉体６の上縁部との間から空気が漏れたり、空気が侵入したりする事態を防止するためのもので、ゴムなどの伸縮性に優れた材料により構成してある。これにより、エネルギーロスが抑制されて、省エネ効果を得ることができる。なお、カバー部材２１４は、伸縮性に優れた材料により構成してあるので、カバー部材２１４が扉体６の開閉に際して支障となることはない。
【０１２８】
図２６は、商品補充口と商品補充口を閉塞する扉体の構成例５を示す図であって、図２６−１は正面図であり、図２６−２は側断面図である。構成例５は、上述した構成例２において、商品補充口２１１の庫外側に商品補充口２１１を遮蔽するカーテン部材２１５を備えている。
【０１２９】
カーテン部材２１５は、商品補充口２１１ごとに吊り下げられたスリットカーテンであり、可撓性の素材で作成してある。カーテン部材２１５は、空気の流通を遮断する一方、商品の通過を許容する。カーテン部材には、上下方向に延びる細長の切り込み（スリット）が設けてあり、商品を補充する際に商品によって押し退けられやすくなっている。
【０１３０】
このように、商品補充口２１１ごとにカーテン部材２１５を吊り下げると、商品補充口２１１から商品を補充する際にも商品の形状に合わせてカーテン部材２１５が変形するため、商品補充口２１１の開口面積を抑制することができ、エネルギーロスを抑制でき、省エネ効果を得ることができる。
【０１３１】
また、通常状態（商品を補充時以外）で、カーテン部材２１５と扉体６との間に空気層が形成され、断熱性能が向上し、省エネ効果を得ることができる。
【符号の説明】
【０１３２】
１    冷凍冷蔵庫
２    冷凍冷蔵庫本体（本体）
２１    商品補充口
２１１    商品補充口
２１２    風向板
２１３    遮蔽部材
２１４    カバー部材
２１５    カーテン部材
２２    商品取出口
２３    フロントパネル
３    棚装置
３１    棚板
３２    表示パネル
４    吹出装置
５    吸込装置
５０    リターングリル
５１    リターンダクト
５２    ファン
５３    熱交換器
６    扉体
６１    ヒンジ
６１１    ヒンジ軸
６２    ヒンジ
６４    開閉扉体
６５    閉鎖扉体
７    庫内温度センサ
２０１    冷凍冷蔵庫
２７１    第１の庫内温度センサ
２７２    第２の庫内温度センサ
２０８    通気ダクト
２８１    気流分岐ファン
２８２    隙間
２０９    扉体（第２の扉体）
２９１    ヒンジ
３０１    冷凍冷蔵庫
３７１    第１の庫内温度センサ
３７２    第２の庫内温度センサ
３７３    第３の庫内温度センサ
３０８Ａ，３０８Ｂ    通気ダクト
３０９Ａ，３０９Ｂ    扉体（第２の扉体）
３８１Ａ，３８１Ｂ    気流分岐ファン
３８２Ａ，３８２Ｂ    隙間
４０１    冷凍冷蔵庫
４７１    第１の庫内温度センサ
４７２    第２の庫内温度センサ
４０８    通気ダクト
４８１    気流分岐ファン
４８２    隙間
４０９    扉体（第２の扉体）
５０１    冷凍冷蔵庫
６０１    冷凍冷蔵庫
６０３    棚装置
６０９    スリットカーテン
６９１    切り込み（スリット）
６９２    通気口
７０１    冷凍冷蔵庫
７０３    棚装置
７０８    ダクト
７８１    前端部
７８１ａ    前端開口
７０９    スリットカーテン
７９１    切り込み（スリット）
８０１    冷凍冷蔵庫
８０３    棚装置
８０８    ダクト
８８１    前端部
８８１ａ    前端開口
８８２    送風装置
８０９    スリットカーテン
８９１    切り込み（スリット）
９０１    冷凍冷蔵庫
９０３    棚装置
９０８    ダクト
９８１    前端部
９８１ａ    前端開口
９８２    送風装置
９８３    フェンス
９０９    スリットカーテン
Ａ    エアカーテン
Ｂ    箱
【図１】
2012117799.tif 000003
【図２】
2012117799.tif 000004
【図３】
2012117799.tif 000005
【図４】
2012117799.tif 000006
【図５】
2012117799.tif 000007
【図６】
2012117799.tif 000008
【図７】
2012117799.tif 000009
【図８】
2012117799.tif 000010
【図９】
2012117799.tif 000011
【図１０】
2012117799.tif 000012
【図１１】
2012117799.tif 000013
【図１２】
2012117799.tif 000014
【図１３】
2012117799.tif 000015
【図１４】
2012117799.tif 000016
【図１５】
2012117799.tif 000017
【図１６】
2012117799.tif 000018
【図１７】
2012117799.tif 000019
【図１８】
2012117799.tif 000020
【図１９】
2012117799.tif 000021
【図２０】
2012117799.tif 000022
【図２１】
2012117799.tif 000023
【図２２】
2012117799.tif 000024
【図２３】
2012117799.tif 000025
【図２４】
2012117799.tif 000026
【図２５】
2012117799.tif 000027
【図２６−１】
2012117799.tif 000028
【図２６−２】
2012117799.tif 000029